(57)【特許請求の範囲】
【請求項１】
埋込型の配線器具を保持し造営面に設けた埋込孔の開口周部を覆う形で造営面に取着される取付プレートが前面側に当接する形で配置されるベースと、取付プレートに保持された配線器具を覆う位置と配線器具を開放する位置との間で開閉自在となるようにベースに取り付けられたカバー体と、造営面とベースの周部との間に挟装される矩形環状のパッキンとを備え、ベースは、配線器具を露出させるための窓孔を有する矩形枠状に形成され、取付プレートを埋込ボックスに取り付けるボックスねじが挿通される一対のねじ挿通孔が窓孔を挟んで形成され、ベースの前面の周部から前方に水切壁が突設され、一対のねじ挿通孔の並設方向に直交する方向における窓孔と水切壁との間の部位にボックスねじの締め付けによる周部の変形を防止するスリットが貫設されてなり、ベースは、スリットの内周面の後部からパッキンの前面に当接する押さえ片が延設されてなることを特徴とする防滴プレート。
【請求項２】
前記ねじ挿通孔は、前記一対のねじ挿通孔の並設方向に直交する方向に沿った長穴であることを特徴とする請求項１記載の防滴プレート。
【請求項３】
前記ベースは、前記一対のねじ挿通孔のピッチが前記取付プレートにおいて前記ボックスねじが挿通される一対のボックス用孔のピッチと等しく設定され、前記水切壁が前記取付プレートの前面側に取り付けられる規定の外形寸法の化粧プレートに対応する形状に形成されてなることを特徴とする請求項１または請求項２記載の防滴プレート。
【発明の詳細な説明】
【０００１】
【発明の属する技術分野】
本発明は、壁面等の造営面に形成した埋込孔に埋込型の配線器具を取り付けるために用いられる配線器具用の取付プレートとともに埋込ボックスに取付可能であって配線器具を雨滴などから保護する防滴プレートに関するものである。
【０００２】
【従来の技術】
一般に、新築される建築物においてコンセントやスイッチのような配線器具を壁面等の造営面に施工するに際しては、造営面内の空間に配線を収納しておき、配線に接続される配線器具の一部を造営面に埋め込んだ形で造営面に取り付けている。
【０００３】
ところで、上述した配線器具を取着した取付プレートを屋外（つまり外壁）に配置するには、雨滴などから配線器具を保護する必要がある。そこで、図１４〜図１７に示すように、配線器具４０を保持するとともに造営面に取着される取付プレート１０が前面側に当接する形で配置される矩形枠状のベース２５と、ベース２５の上端縁に沿って配置された回転軸２７を用いてベース２５に軸着されたカバー体２６と、造営面１とベース２５の周部との間に挟装される矩形環状のパッキン２８とを備えた防滴プレート２０が提供されている。ここに、パッキン２８は、ベース２５の周部から後方に向かって突設された位置決め片２５ｃと嵌合する位置決め溝２８ａが前面周部に形成されている。なお、図１５に例示した配線器具４０は中華人民共和国で使用される２個口の差込部を備えたコンセントであって、各差込部は３個の矩形状の差込口４３ａ，４３ｂ，４３ｃを有し、平板状の栓刃が挿入可能になっている。
【０００４】
取付プレート１０と防滴プレート２０とは造営面１に設けた埋込孔２に埋込配置された埋込ボックス３の一対の舌片３ａにそれぞれ螺合する２本のボックスねじ４を用いて埋込ボックス３に固定されるようになっている。つまり、防滴プレート２０は、埋込ボックス３に対して一対のボックスねじ４を用いて固定され、ボックスねじ４の締付力によってパッキン２８を造営面１に押し付けるようになっている。
【０００５】
取付プレート１０にはボックスねじ４が挿通される一対のボックス用孔１８ａが形成されている。一方、防滴プレート２０のベース２５には、配線器具４０を露出させるための窓孔２４が形成され、窓孔２４の上側および下側それぞれにボックスねじ４が挿通される円形状のねじ挿通孔２１が形成されている。また、ベース２５の前面であってねじ挿通孔２１および窓孔２４を囲む部位には水切壁２５ｂが突設されている。なお、取付プレート１０の前面は化粧プレート３０によって覆われる。ここに、化粧プレート３０のプレート本体３１の中央部には配線器具４０の機能面を露出させる窓孔３４が開口されている。
【０００６】
【発明が解決しようとする課題】
しかしながら、上記従来構成の防滴プレート２０では、取付プレート１０とともに埋込ボックス３に取り付けるためにベース２５の前面に取付プレート１０の後面を当接させた形でボックスねじ４を締め付けたときに取付プレート１０が多少変形することで仕切壁２５ｂが図１７中に一点鎖線で示すように内側に倒れ込む向き（図１７中の矢印Ａの向き）に変形して化粧プレート３０が取り付けられなくなったり、パッキン２８が図１７中に一点鎖線で示すようにめくれ上がる向き（図１７中の矢印Ｂの向き）に変形して造営面１とパッキン２８の後面との間に隙間が形成されてしまい防滴性能が低下してしまう可能性がある。
【０００７】
本発明は上記事由に鑑みて為されたものであり、その目的は、従来に比べて防滴性能を向上した防滴プレートを提供することにある。
【０００８】
【課題を解決するための手段】
請求項１の発明は、埋込型の配線器具を保持し造営面に設けた埋込孔の開口周部を覆う形で造営面に取着される取付プレートが前面側に当接する形で配置されるベースと、取付プレートに保持された配線器具を覆う位置と配線器具を開放する位置との間で開閉自在となるようにベースに取り付けられたカバー体と、造営面とベースの周部との間に挟装される矩形環状のパッキンとを備え、ベースは、配線器具を露出させるための窓孔を有する矩形枠状に形成され、取付プレートを埋込ボックスに取り付けるボックスねじが挿通される一対のねじ挿通孔が窓孔を挟んで形成され、ベースの前面の周部から前方に水切壁が突設され、一対のねじ挿通孔の並設方向に直交する方向における窓孔と水切壁との間の部位にボックスねじの締め付けによる周部の変形を防止するスリットが貫設されてなることを特徴とするものであり、ベースには、取付プレートを埋込ボックスに取り付けるボックスねじが挿通される一対のねじ挿通孔の並設方向に直交する方向における窓孔と水切壁との間の部位にボックスねじの締め付けによる周部の変形を防止するスリットが貫設されているので、ボックスねじの締め付けでベースの周部が変形するのを防止することができ、パッキンと造営面との間に隙間が形成されることが防止されるから、従来に比べて防滴性能が向上する。また、水切壁が内側に倒れ込むことも防止されるから、取付プレートの前面に化粧プレートを取り付ける際に水切壁が干渉するのを防止することができる。
また、請求項１の発明では、ベースは、スリットの内周面の後部からパッキンの前面に当接する押さえ片が延設されているので、ベースにおいてパッキンと密着する面積を大きくできてパッキンを造営面に押し付ける力を強くすることができ防滴性能がより向上し、しかも、スリットを通してベースの後面側へ異物が侵入しにくくなって安全性が向上する。
【０００９】
請求項２の発明は、請求項１の発明において、前記ねじ挿通孔は、前記一対のねじ挿通孔の並設方向に直交する方向に沿った長穴であるので、前記埋込ボックスが前記造営面に平行な面内でやや傾いて配置されている場合でも、前記一対のボックスねじを前記ねじ挿通孔に挿通して前記埋込ボックスに緩く取り付けた状態で、前記ベースを前記造営面に平行な面内で前記埋込ボックスの傾いている向きと反対向きに回転させてから前記ボックスねじを締め付けることによって、前記防滴プレートを見栄えよく取り付けることができる。
【００１１】
請求項３の発明は、請求項１または請求項２の発明において、前記ベースは、前記一対のねじ挿通孔のピッチが前記取付プレートにおいて前記ボックスねじが挿通される一対のボックスねじ挿通孔のピッチと等しく設定され、前記水切壁が前記取付プレートの前面側に取り付けられる規定の外形寸法の化粧プレートに対応する形状に形成されているので、前記取付プレートの前面側に規定の外形寸法の化粧プレートを容易に取り付けることができる。
【００１２】
【発明の実施の形態】
（参考例１）
以下、本参考例の防滴プレート２０について図１〜図８を参照して説明する前に、防滴プレート２０の前面側に配置される取付プレート１０について簡単に説明する。
【００１３】
取付プレート１０は、スイッチやコンセントなどの埋込型の配線器具４０（図７および図８には２個口のコンセントを示してある）を保持するとともに壁面のような造営面１（図８参照）に設けた埋込孔２の開口周部を覆う形で造営面に取着されるものである。この取付プレート１０は、図５に示すように、絶縁性を有する合成樹脂（ＡＢＳ樹脂のような熱可塑性樹脂または弾性を有する熱硬化性樹脂）を用いて矩形枠状に形成された枠本体１１を有し、枠本体１１の中央部には配線器具４０の器体４１の一部が挿入される矩形状の開口窓１２が設けてある。配線器具４０は取付プレート１０に対して、取付プレート１０の前面側（つまり造営面１に取り付けたときに露出する側）に配線器具４０の機能面（つまりスイッチであれば操作部を設けた面であり、コンセントであれば差込口を設けた面）が臨むように挿入される。
【００１４】
枠本体１１は、平行な一対の取付枠片１１ａ，１１ｂの両端間を一対の保持枠片１１ｃ，１１ｄにより連続一体に結合した形で矩形枠状に形成されている。開口窓１２の長手方向に沿った一方の側縁には帯状の固定梁部１３が形成され、他方の側縁には帯状の可動梁部１４が設けられる。ここでは詳しく説明しないが、固定梁部１３および可動梁部１４において開口窓１２に臨む面には、配線器具４０の器体４１の両側面に突設された取付爪（図示せず）を係止する取付溝（図示せず）をそれぞれ３対設けてあり、配線器具４０の器体４１に設けた取付爪を各取付溝に係止させることによって、配線器具４０の機能面を開口窓１２から露出させた形で取付プレート１０に配線器具４０を取着することができるようになっている。
【００１５】
ここに、配線器具４０を開口窓１２に３個まで取り付けることができるとき、つまり開口窓１２の長手方向において配線器具４０の機能面の寸法が開口窓１２の開口幅の略３分の１であるときに、この配線器具４０を単位寸法の配線器具４０と呼ぶことにする。つまり、単位寸法の配線器具４０は固定梁部１３と可動梁部１４との各一対ずつの取付溝に対して取付爪を係合させることによって取付プレート１０に保持される。このように配線器具４０の単位寸法を規格化しておくことにより、各種の配線器具を１種類の取付プレート１０に取り付けることができることになる。また、単位寸法の配線器具４０であれば上述した開口窓１２には３個まで取り付けることができるから、同種の配線器具４０を取り付ける個数を変えたり、異なる種類の配線器具を組み合わせて用いたりすることができる。例えばＪＩＣ  Ｃ  ８３７５の「大角形連用配線器具」などはこの種の規格であり、このような寸法に適合した配線器具であれば、取付プレート１０を共用することができる。
【００１６】
本参考例においては単位寸法の配線器具４０の３個分に相当する寸法のコンセントを配線器具４０として例示してあり、したがって取付プレート１０に対して１個だけ取り付けられている。また、本参考例で用いる配線器具４０は機能面に２個口の差込部を備えており、各差込部は３個の矩形状の差込口４３ａ，４３ｂ，４３ｃを有し、平板状の栓刃が挿入可能になっている。１つの差込口４３ｃは接地用として用いられる。
【００１７】
固定梁部１３の各一対の取付溝の間には、取付プレート１０の前後に貫通する器具外し孔１３ｂが形成されている。取付プレート１０に取り付けた配線器具４０を取り外す際には、器具外し孔１３ｂにマイナスドライバや専用の治具の先端部を挿入し、その先端部で器体４１を可動梁部１４側へ押すように力を加えると、梃子の原理によって比較的小さい力で可動梁部１４を撓ませることができる。したがって、固定梁部１３側の取付溝と配線器具４０の取付爪との係止状態が解除されて取付プレート１０から配線器具４０を取り外すことができるようになる。
【００１８】
ところで、取付プレート１０の取付枠片１１ａ，１１ｂにはそれぞれ前面を凹没させた凹所１７が形成してある。各凹所１７には、埋込ボックス３（図８参照）の舌片３ａに螺合するボックスねじ４が挿通される長孔状のボックス用孔１８ａが形成されるとともに、取付プレート１０を壁面等の造営面に直付けするための直付けねじが挿通されるねじ用孔１８ｂが形成される。
【００１９】
取付プレート１０の枠本体１１の四隅には、化粧プレート３０のプレート本体３１の後面から突設した係止突起（図示せず）が挿入される化粧プレート係止孔１９ａがそれぞれ設けてある。各化粧プレート係止孔１９ａにそれぞれ係止突起を挿入すると係止突起は枠本体１１に係止され、取付プレート１０の前面側に化粧プレート３０が着脱自在に取り付けられる。なお、化粧プレート３０は絶縁性を有する合成樹脂（ＡＢＳ樹脂のような熱可塑性樹脂または弾性を有する熱硬化性樹脂）により形成され、プレート本体３１の中央部には、取付プレート１０に取り付けた配線器具４０の機能面を露出させる窓孔３４が開口する。
【００２０】
防滴プレート２０は塩化ビニルのような耐候性のよい材料により形成され、取付プレート１０が前面側に当接する形で配置され配線器具４０を露出させるための窓孔２４を有した矩形枠状のベース２５と、ベース２５の長手方向の一端縁（上端縁）に沿って配置された回転軸２７を用いてベース２５に軸着されるカバー体２６とを備える。回転軸２７はベース２５の前面に突設された軸受台２５ａに保持され、カバー体２６に設けた軸受部２６ａに挿通される。この構成によって、カバー体２６は、窓孔２４を覆う位置と窓孔２４を開放する位置との間でベース２５に対して開閉自在になっている。ここにおいて、カバー本体２６は、当該カバー本体２６を閉じた状態における後面が開口し、後端縁がベース２５の前面に接触ないし近接するようになっており、また、下面にはコード引出口２６ａが形成され、コード引出口２６ａを覆うようにブッシング２９が固着されている。ここに、ブッシング２９は、絶縁性および弾性を有する材料により形成されたものであって、３つの十字状の切込溝２９ａが前後方向に繋がって形成されており、３本の電源コードを挿通可能となっている。なお、また、カバー体２６は、カバー体２６を閉じた状態で前方へ膨出する形状に形成されており、上端から下端に近づくにつれてベース２５の前面からの膨出量が大きくなっている。
【００２１】
ベース２５には、窓孔２４の上側および下側それぞれにボックスねじ４が挿通される円形状のねじ挿通孔２１が形成されている。すなわち、ベース２５には、一対のねじ挿通孔２１が窓孔２４を挟んで形成されている。また、ベース２５の前面であってねじ挿通孔２１および窓孔２４を囲む部位には水切壁２５ｂが突設されている。ベース２５は、カバー体２６を閉じた状態では仕切壁２５ｂの外周がカバー体２６で囲まれるようになっている。
【００２２】
ベース２５の前面であってねじ挿通孔２１および窓孔２４を囲む部位には水切壁２５ｂが突設されている。ここに、水切壁２５ｂはベース２５の上端縁に沿って形成された部位が他の部位に比べてベース２５の前面からの突出量を大きく設定してあり、ベース２５の下端縁に沿った部位では取付プレート１０から化粧プレート３０を取り外す作業を容易にするために一部を切り欠いてある。また、ベース２５の前面には、下側のねじ挿通孔２１の下方の位置で水切壁２５ｂを切り欠いた部位にリブ２５ｄが突設されている。さらに、ベース２５の周部には後方に向かって位置決め突片２５ｃが突設され、位置決め突片２５ｃは矩形環状に形成されたパッキン２８が装着される。パッキン２８は、矩形環状であって位置決め突片２５ｃと嵌合する位置決め溝２８ａが前面周部に形成されたものである。
【００２３】
上述したパッキン２８の位置決め溝２８ａにベース２５の位置決め突片２５ｃを嵌着し、ベース２５の前面に取付プレート１０を当接させパッキン２８を造営面１に当接させた形でボックスねじ４を締め付けると、パッキン２８の周部がベース２５によって造営面１に押し付けられ、ベース２５の周部と造営面１との間の水密性を確保することができる。また、上述したようにベース２５の前面には水切壁２５ｂが形成されているから、カバー体２６を閉じた状態でベース２５とカバー体２６との間に雨滴が入ったとしても水切壁２５ｂが存在していることによってねじ挿通孔２１や窓孔２４に水が浸入することがないのである。なお、仕切壁２５ｂの内周形状は化粧プレート３０の外周形状にほぼ一致し、化粧プレート３０は、仕切壁２５ｂにより囲まれるようになっている。ここに、本参考例では、一対のねじ挿通孔２１のピッチが取付プレート１０における一対のボックス用孔１８ａのピッチと同じ８３．５ｍｍ、仕切壁２５ｂで囲まれる空間のうち上下方向の寸法を１２０ｍｍ以上、左右方向の寸法を７０ｍｍ以上に設定することで規定の外形寸法（上下方向の寸法が１２０ｍｍ、左右方向の寸法が７０ｍｍ）の化粧プレート３０を囲むことができるようになっている。
【００２４】
ところで、本参考例における防滴プレート２０のベース２５には、上述のように、取付プレート１０を埋込ボックス３に取り付けるボックスねじ４が挿通される一対のねじ挿通孔２１が窓孔２４を挟んで形成され、ベース２５の前面の周部から前方に水切壁２５ｂが突設されているが、一対のねじ挿通孔２１の並設方向（図１の上下方向）に直交する方向（図１の左右方向）における窓孔２４と水切壁２５ｂとの間の部位にボックスねじ４の締め付けによる周部の変形を防止するスリット２２が貫設されている。すなわち、ベース２５は、図１における窓孔２４の左右両側それぞれに上下方向に沿ってスリット２２が形成されている。なお、各スリット２２はベース２５の上下方向において一対のねじ挿通孔２１および窓孔２４に跨るように上下方向の寸法および形成位置を設定してある。また、各スリット２２は、ベース２５の左右方向において、窓孔２４と仕切壁２５との間の部位のうち仕切壁２５ｂに近い側に形成されている。
【００２５】
しかして、本参考例の防滴プレート２０では、取付プレート１０を埋込ボックス３に取り付けるボックスねじ４が挿通される一対のねじ挿通孔２１の並設方向に直交する方向における窓孔２４と水切壁２５ｂとの間の部位にボックスねじ４の締め付けによる周部の変形を防止するスリット２２が貫設されているので、ボックスねじ４の締め付けで防滴プレート２０のベース２５の周部が変形するのを防止することができ、パッキン２８と造営面１との間に隙間が形成されることが防止されるから、従来に比べて防滴性能（水密性）が向上する。また、水切壁２５ｂが内側に倒れ込むことも防止されるから、取付プレート１０の前面に化粧プレート３０を取り付ける際に水切壁２５ｂが化粧プレート３０に干渉するのを防止することができ、化粧プレート３０を容易に取り付けることができる。
【００２６】
また、防滴プレート２０のベース２５は、一対のねじ挿通孔２１のピッチが取付プレート１０においてボックスねじ４が挿通される一対のボックス用孔１８ａのピッチと等しく設定され、水切壁２５ｂが取付プレート１０に着脱自在に取着される規定の外形寸法の化粧プレート３０に対応する形状に形成されているので、従来から提供されている規定の外形寸法の化粧プレート３０の外形寸法を変更することなしに取付プレート１０に取り付けることができる。
【００２７】
（参考例２）
参考例１では、ベース２５に円形のねじ挿通孔２１が形成されている例を示したが、参考例１の構成では、埋込ボックス３が造営面１に平行な面内でやや傾いて配置されている場合には、防滴プレート２０も傾いて配置されてしまうことになる。
【００２８】
これに対して、本参考例の防滴プレート２０では、図９〜図１１に示すように、上述の一対のねじ挿通孔２１を、取付プレート１０におけるボックス用孔１８ａに対応する長孔状の形状に形成している点が相違する。つまり、一対のねじ挿通孔２１を、ねじ挿通孔２１の並設方向に直交する方向に沿った長穴としてある点が相違する。他の構成は参考例１と同じであるから、参考例１と同様の構成要素には同一の符号を付して説明を省略する。
【００２９】
しかして、本参考例の防滴プレート２０では、埋込ボックス３が造営面１に平行な面内でやや傾いて配置されている場合でも、一対のボックスねじ４を前記ねじ挿通孔２１に挿通して埋込ボックス３の舌片３ａに緩く取り付けた状態で、防滴プレート２０のベース２５を造営面１に平行な面内で埋込ボックス３の傾いている向きと反対向きに回転させてからボックスねじ４を締め付けることによって（つまり、取付プレート１０において一対のボックス用孔１８ａの中心同士を結ぶ仮想直線（以下、第１の仮想直線と称す）Ｌ２の中点を回転中心Ｏとし、第１の仮想直線Ｌ２が一対のボックスねじ４を結ぶ仮想直線（第２の仮想直線）Ｌ１から回転するように取付プレート１０およびベース２５を回転（図１０では時計回り方向に回転）させた状態でボックスねじ４を締め付けることによって）、防滴プレート２０を見栄えよく取り付けることができる。
【００３０】
（実施の形態）
上記各参考例では、ベース２５における各スリット２２の形成領域の一部がパッキン２８に重なる部位に形成されている例を示したが、上記各参考例の構成ではベース２５とパッキン２８との接触面積がスリット２２を形成していない場合に比べて小さくなってしまうので、ボックスねじ４を締め付けた状態でベース２５によってパッキン２８を造営面１に押し付ける力が低下し、ベース２５の周部と造営面１との間の十分な水密性が得られないことも考えられる。
【００３１】
これに対して、本実施形態の防滴プレート２０では、図１２および図１３に示すように、ベース２５のスリット２２の内周面の後部からパッキン２８の前面に当接する押さえ片２５ｅを延設している点が相違する。要するに、本実施形態では、スリット２２が、パッキン２８に重なる部位では貫通せずパッキン２８に重ならない部位では貫通するような形状に形成されており、取付プレート１０の後面に当接する前面における開口面積よりもパッキン２８の前面に当接する後面における開口面積が小さくなっている。なお、他の構成は参考例２と同じであるから、参考例２と同様の構成要素には同一の符号を付して説明を省略する。
【００３２】
しかして、本実施形態の防滴プレート２０では、ベース２５におけるスリット２２の内周面の後部からパッキン２８の前面に当接する押さえ片２５ｅが延設されているので、ベース２５においてパッキン２８と密着する面積を大きくできてパッキン２８を造営面１に押し付ける力を強くすることができ防滴性能（水密性）がより向上し、しかも、スリット２２を通してベース２５の後面側へ異物が侵入しにくくなって安全性が向上する。
【００３３】
【発明の効果】
請求項１の発明は、埋込型の配線器具を保持し造営面に設けた埋込孔の開口周部を覆う形で造営面に取着される取付プレートが前面側に当接する形で配置されるベースと、取付プレートに保持された配線器具を覆う位置と配線器具を開放する位置との間で開閉自在となるようにベースに取り付けられたカバー体と、造営面とベースの周部との間に挟装される矩形環状のパッキンとを備え、ベースは、配線器具を露出させるための窓孔を有する矩形枠状に形成され、取付プレートを埋込ボックスに取り付けるボックスねじが挿通される一対のねじ挿通孔が窓孔を挟んで形成され、ベースの前面の周部から前方に水切壁が突設され、一対のねじ挿通孔の並設方向に直交する方向における窓孔と水切壁との間の部位にボックスねじの締め付けによる周部の変形を防止するスリットが貫設されてなるものであり、ベースには、取付プレートを埋込ボックスに取り付けるボックスねじが挿通される一対のねじ挿通孔の並設方向に直交する方向における窓孔と水切壁との間の部位にボックスねじの締め付けによる周部の変形を防止するスリットが貫設されているので、ボックスねじの締め付けでベースの周部が変形するのを防止することができ、パッキンと造営面との間に隙間が形成されることが防止されるから、従来に比べて防滴性能が向上するという効果がある。また、水切壁が内側に倒れ込むことも防止されるから、取付プレートの前面に化粧プレートを取り付ける際に水切壁が干渉するのを防止することができるという効果がある。
また、請求項１の発明では、ベースは、スリットの内周面の後部からパッキンの前面に当接する押さえ片が延設されているので、ベースにおいてパッキンと密着する面積を大きくできてパッキンを造営面に押し付ける力を強くすることができ防滴性能がより向上し、しかも、スリットを通してベースの後面側へ異物が侵入しにくくなって安全性が向上するという効果がある。
【００３４】
請求項２の発明は、請求項１の発明において、前記ねじ挿通孔は、前記一対のねじ挿通孔の並設方向に直交する方向に沿った長穴であるので、前記埋込ボックスが前記造営面に平行な面内でやや傾いて配置されている場合でも、前記一対のボックスねじを前記ねじ挿通孔に挿通して前記埋込ボックスに緩く取り付けた状態で、前記ベースを前記造営面に平行な面内で前記埋込ボックスの傾いている向きと反対向きに回転させてから前記ボックスねじを締め付けることによって、前記防滴プレートを見栄えよく取り付けることができるという効果がある。
【００３６】
請求項３の発明は、請求項１または請求項２の発明において、前記ベースは、前記一対のねじ挿通孔のピッチが前記取付プレートにおいて前記ボックスねじが挿通される一対のボックスねじ挿通孔のピッチと等しく設定され、前記水切壁が前記取付プレートの前面側に取り付けられる規定の外形寸法の化粧プレートに対応する形状に形成されているので、前記取付プレートの前面側に規定の外形寸法の化粧プレートを容易に取り付けることができるという効果がある。
【図面の簡単な説明】
【図１】  参考例１を示し、カバー体を開いた状態の正面図である。
【図２】  同上の要部断面図である。
【図３】  同上を示し、（ａ）は正面図、（ｂ）は断面図、（ｃ）は背面図、（ｄ）は下面図である。
【図４】  同上の使用例を示す要部断面図である。
【図５】  同上の使用例を示し、カバー体を開いたい状態の正面図である。
【図６】  同上の使用例を示す要部断面図である。
【図７】  同上の使用例を示し、カバー体を開いた状態の正面図である。
【図８】  同上の施工例を示す断面図である。
【図９】  参考例２を示し、カバー体を開いた状態の正面図である。
【図１０】  同上の使用例を示し、カバー体を開いたい状態の正面図である。
【図１１】  同上の使用例を示す要部断面図である。
【図１２】  実施の形態を示し、カバー体を開いた状態の正面図である。
【図１３】  同上の要部断面図である。
【図１４】  従来例を示し、カバー体を開いた状態の正面図である。
【図１５】  同上の使用例を示し、カバー体を開いた状態の正面図である。
【図１６】  同上の施工例を説明するための分解断面図である。
【図１７】  同上の使用例を示す要部断面図である。
【符号の説明】
１  造営面
２  埋込孔
３  埋込ボックス
４  ボックスねじ
１０  取付プレート
１２  開口窓
１８ａ  ボックス用孔
２０  防滴プレート
２１  ねじ挿通孔
２２  スリット
２４  窓孔
２５  ベース
２５ｂ  水切壁
２５ｅ  押さえ片
２６  カバー体
２８  パッキン
３０  化粧プレート
３４  窓孔
４０  配線器具
【図１】
0003709837.tif 000002
【図２】
0003709837.tif 000003
【図３】
0003709837.tif 000004
【図４】
0003709837.tif 000005
【図５】
0003709837.tif 000006
【図６】
0003709837.tif 000007
【図７】
0003709837.tif 000008
【図８】
0003709837.tif 000009
【図９】
0003709837.tif 000010
【図１０】
0003709837.tif 000011
【図１１】
0003709837.tif 000012
【図１２】
0003709837.tif 000013
【図１３】
0003709837.tif 000014
【図１４】
0003709837.tif 000015
【図１５】
0003709837.tif 000016
【図１６】
0003709837.tif 000017
【図１７】
0003709837.tif 000018